(57)【要約】【課題】  監視対象となる装置の異常を正確に判定することができる警報装置を提供する。【解決手段】  ＲＦ切換器２、ＲＦ検波器５、制御部７、警報出力手段（ブザー８、表示部９）を有し、ＲＦ切換器２には、監視対象となるシグナルプロセッサ５５に入力される信号と、そこから出力される信号が入力されるとともに、切換器２からは、それらの信号が一定時間毎に交互に出力され、その出力信号が、チューナ３を経由してＲＦ検波器５に入力されるように構成し、ＲＦ検波器５は、一定時間毎に交互に入力される信号を電圧に変換して制御部７へ送出するように構成し、制御部７は、電圧レベルを比較し、その比較結果に基づいて、監視対象となる装置の異常の有無を判定するように構成した。【選択図】  図１
2006197155.tif 000002
【特許請求の範囲】
【請求項１】
切換器と、検波器と、制御部と、警報出力手段とを有し、
前記切換器には、監視対象となる装置に入力される信号と当該装置から出力される信号が入力され、当該切換器からは、それらの信号が一定時間毎に交互に出力され、その出力信号が、直接或いは他の機器を経由した後に前記検波器に入力されるように構成し、
前記検波器は、一定時間毎に交互に入力される信号を電圧に変換して前記制御部へ送出するように構成され、
前記制御部は、前記検波器から送られる電圧のレベルを比較し、その比較結果に基づいて、監視対象となる装置における異常の有無を判定するとともに、異常があると判定した場合には、前記警報出力手段を作動させて警報を発するように構成されていることを特徴とする警報装置。
【請求項２】
入力信号の中から、割り当てられているチャンネルの放送信号のみを抽出し、そのＩＦ信号を出力する周波数選択装置を有し、
前記切換器からの出力信号が前記周波数選択装置に入力され、当該周波数選択装置から出力されるＩＦ信号が前記検波器に入力されるように構成したことを特徴とする、請求項１に記載の警報装置。
【請求項３】
前記検波器のほかに、同期検波器を有し、
前記周波数選択装置、或いは、これと並列に配置された第２の周波数選択装置から出力されるＩＦ信号が前記同期検波器に入力されるように構成し、
入力されたＩＦ信号における同期信号の有無を検波することにより、アナログ波であるか、デジタル波であるかを判別できるように構成したことを特徴とする、請求項２に記載の警報装置。
【請求項４】
前記切換器が、モードの切り換えにより、監視対象となる装置の出力側の信号のみを出力できるように構成されていることを特徴とする、請求項１に記載の警報装置。
【発明の詳細な説明】
【技術分野】
【０００１】
本発明は、ＣＡＴＶ放送システムにおいて使用されるシグナルプロセッサ、変調器、切換器、増幅器等の装置を監視し、異常時に警報を発する装置に関する。
【背景技術】
【０００２】
現在運営されているＣＡＴＶ放送システムにおいては、自主放送番組や衛星放送番組が放送されるだけでなく、ＶＨＦやＵＨＦなどの地上ＴＶ放送の再送信も行われている。この地上ＴＶ放送の再送信は、一般的には、図２に示すようなヘッドエンド設備５１によって実施されている。
【０００３】
図２の構成例では、ヘッドエンド設備５１にＶＨＦ受信アンテナ５２、及び、ＵＨＦ受信アンテナ５３が設置されており、これらのアンテナ５２，５３によって受信された地上ＴＶ放送信号が、分配器５４ａ，５４ｂにそれぞれ入力されるようになっている。受信信号が入力された分配器５４ａ，５４ｂは、それぞれについて複数台ずつ設置されているシグナルプロセッサ５５に受信信号を分配出力し、受信信号は各シグナルプロセッサ５５において必要な処理が行われた後、合成器５６によって合成され、幹線路５７へ送出される。
【０００４】
ヘッドエンド設備５１を構成する上記のような装置のうち、シグナルプロセッサ５５という装置は、受信した地上ＴＶ放送電波、ＦＭ放送電波などのＲＦ信号から、そのシグナルプロセッサ５５に割り当てられている地上ＴＶ放送のチャンネルの放送信号のみを抽出（他のチャンネルの放送信号を除去）してＩＦ信号に変換し、ＩＦ部で信号処理を行った後、そのＩＦ信号を再びＲＦ信号（ＣＡＴＶシステムのチャンネル周波数の信号）に変換して出力するものである。
【０００５】
一般に、シグナルプロセッサ５５は、受信される地上ＴＶ放送のチャンネル数（例えば、関東地方のＶＨＦの場合、現在では第１、第３、第４、第６、第８、第１０、第１２チャンネルの地上ＴＶ放送が行われており、チャンネル数は７つ）に対応できる台数分設置され、一つのシグナルプロセッサ５５について、一つのチャンネルが割り当てられる。例えば、図２の構成例では、シグナルプロセッサ５５ａにＶＨＦの第１チャンネルが、シグナルプロセッサ５５ｂに第３チャンネルがそれぞれ割り当てられ、シグナルプロセッサ５５ａからは第１チャンネルの放送信号のみが、シグナルプロセッサ５５ｂからは第３チャンネルの放送信号のみが出力される。
【発明の開示】
【発明が解決しようとする課題】
【０００６】
図２に示したように、ＣＡＴＶ放送システムのヘッドエンド設備５１には、数多くの装置が使用されており、それらのいずれかにおいて異常が発生した場合には放送障害が発生する可能性があるため、ヘッドエンド設備５１の管理者は、各構成機器を常時監視し、異常が発生した場合には直ちに対処する必要がある。
【０００７】
ヘッドエンド設備５１の各構成機器における異常の有無を監視する方法としては、各構成機器の出力信号を監視するという方法が考えられる。しかし、シグナルプロセッサの場合、出力信号を監視しただけでは、異常の有無を判定することはできない。例えば、放送時間外（深夜など）においては、放送信号は入力されないため、信号が出力されることもないからである。
【０００８】
本発明は、上記のような従来技術の問題を解決すべくなされたものであって、監視対象となる装置の異常を正確に判定することができる警報装置を提供することを目的とする。
【課題を解決するための手段】
【０００９】
本発明の警報装置は、切換器と、検波器と、制御部と、警報出力手段とを有し、切換器には、監視対象となる装置に入力される信号と当該装置から出力される信号が入力されるとともに、当該切換器からは、それらの信号が一定時間毎に交互に出力され、その出力信号が、直接或いは他の機器（周波数選択装置等）を経由した後に検波器に入力されるように構成し、検波器は、一定時間毎に交互に入力される信号を電圧に変換して制御部へ送出するように構成され、制御部は、検波器から送られる電圧のレベルを比較し、その比較結果に基づいて、監視対象となる装置における異常の有無を判定するとともに、異常があると判定した場合には、警報出力手段を作動させて警報を発するように構成したことを特徴としている。
【００１０】
尚、入力信号の中から、割り当てられているチャンネルの放送信号のみを抽出し、そのＩＦ信号を出力する周波数選択装置を、切換器と検波器の間に配置し、切換器からの出力信号が周波数選択装置に入力され、この周波数選択装置から出力されるＩＦ信号が検波器に入力されるように構成した場合、ＣＡＴＶ放送システムのヘッドエンド設備において使用されるシグナルプロセッサを監視対象とする警報装置、即ち、ＣＡＴＶ用ＴＶチャンネル警報装置とすることができる。
【００１１】
また、前記検波器のほかに、同期検波器を配置し、周波数選択装置、或いは、これと並列に配置された第２の周波数選択装置から出力されるＩＦ信号が同期検波器に入力されるように構成し、入力されたＩＦ信号における同期信号の有無を検波することにより、アナログ波であるか、デジタル波であるかを判別できるように構成した場合には、アナログ波のＴＶ放送信号だけでなく、デジタル波の放送信号にも対応させることができる。
【００１２】
更に、切換器を、モードの切り換えにより、監視対象となる装置の出力側の信号のみを出力できるように構成した場合には、信号の出力系統のみを有する装置を監視対象とする警報装置として使用することも可能となる。
【発明の効果】
【００１３】
本発明の警報装置は、監視対象となる装置の出力側の信号のみを監視するのではなく、入力側の信号と出力側の信号を比較するようになっているため、監視対象となる装置の異常を正確に判定することができる。
【００１４】
また、周波数選択装置を搭載した場合には、ＣＡＴＶ放送システムのヘッドエンド設備において使用されるシグナルプロセッサを監視対象とする警報装置、即ち、ＣＡＴＶ用ＴＶチャンネル警報装置として使用することができ、しかも、ＶＨＦ、ＵＨＦ、及び、ＣＡＴＶのすべてのチャンネルに対応することができる。
【００１５】
更に、検波器が、周波数選択装置からのＩＦ出力を電圧に変換し、その変換電圧に基づいて制御部が入力側の信号と出力側の信号を比較するように構成されているため、監視対象となる装置の特性等に応じて、判定基準を細かく設定することができる。例えば、判定レベルを１ｄＢステップで設定することができる。
【発明を実施するための最良の形態】
【００１６】
以下、添付図面に沿って、本発明に係る「警報装置」の好適な実施形態について説明する。図１は、本発明の第１の実施形態「ＣＡＴＶ用ＴＶチャンネル警報装置１」の構成図であり、図１からも明らかなように、このＴＶチャンネル警報装置１は、ＲＦ切換器２、第１周波数選択装置３、第２周波数選択装置４、検波器（ＲＦ検波器５、同期検波器６）、制御部７、警報出力手段（ブザー８、表示部９）、及び、設定部１０によって構成されている。
【００１７】
このＴＶチャンネル警報装置１は、図２に示したシグナルプロセッサ５５のうち、この警報装置１による監視対象となるシグナルプロセッサ５５の近傍に設置され、分配器５４ａ（又は分配器５４ｂ）からそのシグナルプロセッサ５５へ送られるＲＦ信号が分岐されて入力されるように、かつ、当該シグナルプロセッサ５５から合成器５６へ送られるＲＦ信号が分岐され、入力されるように構成されている。つまり、監視対象となるシグナルプロセッサ５５に入力されるＲＦ信号（入力側の信号）と、そのシグナルプロセッサ５５から出力されるＲＦ信号（出力側の信号）とが、このＴＶチャンネル警報装置１にそれぞれ入力されるように接続されている。
【００１８】
図１に示されているように、このＴＶチャンネル警報装置１においては、入力側の信号と出力側の信号は、ＲＦ切換器２に入力される。ＲＦ切換器２は、入力されるそれらの信号のうち、一方を選択して出力するようになっており、その出力信号の選択の切り換えは、一定の時間間隔をおいて規則的に（例えば１秒毎に）行われるように構成されている。従って、ＲＦ切換器２からは、入力側の信号と出力側の信号とが、一定時間毎に交互に出力されることになる。
【００１９】
ＲＦ切換器２から出力された信号は、第１周波数選択装置３、及び、第２周波数選択装置４にそれぞれ入力される。これらの周波数選択装置３，４は、対応するシグナルプロセッサ５５に割り当てられているチャンネル（ＴＶ放送のチャンネル）の放送信号のみを抽出し、そのＩＦ信号を出力する。尚、割当チャンネルの設定、及び、変更は、作業者による設定部１０の操作によって自由に行うことができ、設定部１０の操作が行われると、制御部７からの指令を受けて各周波数選択装置３，４における割当チャンネルが設定、或いは、変更されるようになっている。
【００２０】
第１周波数選択装置３から出力されたＩＦ信号は、ＲＦ検波器５に入力される。ＲＦ検波器５は、一定時間毎に交互に入力される入力側の信号と出力側の信号を電圧に変換し、制御部７へ送出する。制御部７は、入力側の信号の変換電圧レベルと出力側の信号の変換電圧レベルを比較し、両者の差が基準値以下であった場合には、接続されているシグナルプロセッサ５５は「正常」に稼働していると判定し、両者の差が基準値を超えていた場合には、シグナルプロセッサ５５に「異常」があると判定する。
【００２１】
より具体的に説明すると、接続されているシグナルプロセッサ５５に割り当てられているチャンネルの放送が実際に行われている場合には、その放送信号を含む受信信号がシグナルプロセッサ５５に入力されることになるが、このときシグナルプロセッサ５５が正常に稼働している場合は、そのチャンネル放送のＲＦ信号がシグナルプロセッサ５５から出力されることになる。この場合、制御部７において比較される電圧レベルの差は一定の範囲内（予め管理者が設定した基準値以下）となるはずである。従って、この場合は「正常」と判定される。一方、割り当てられているチャンネルの放送が行われているにも拘わらず、シグナルプロセッサ５５から当該チャンネル放送のＲＦ信号が出力されていない場合や、出力側の信号のレベルに異常がある場合には、制御部７において比較される電圧レベルの差が基準値を超え、この場合は「異常」と判定される。
【００２２】
また、当該チャンネルの放送が行われていない場合（深夜など）には、その放送信号を含む受信信号がシグナルプロセッサ５５に入力されることはなく、このときシグナルプロセッサ５５が正常に稼働している場合には、シグナルプロセッサ５５からＲＦ信号は出力されないため、制御部７において比較される電圧レベルの差は基準値以下となるはずである。従って、この場合は「正常」と判定される。一方、割り当てられているチャンネルの放送が行われていないにも拘わらず、シグナルプロセッサ５５からＲＦ信号が出力されている場合には、制御部７において比較される電圧レベルの差が基準値を超え、この場合は「異常」と判定される。
【００２３】
制御部７において「異常あり」と判定された場合、制御部７は、ブザー８を作動させて警報音を発し、更に、異常が発生した旨のメッセージを表示部９において表示させる。尚、「正常」か「異常」かの判定基準となる「電圧レベルの差の基準値」は、設定部１０の操作によって自由に設定、変更できるようになっている。
【００２４】
また、このＴＶチャンネル警報装置１は、アナログ波だけでなく、デジタル波にも対応できるように構成されている。この点について具体的に説明すると、前述の通り、ＲＦ切換器２から出力された信号は、第１周波数選択装置３だけでなく、第２周波数選択装置４にも入力されるように構成され、第２周波数選択装置４は、第１周波数選択装置３と同様に、対応するシグナルプロセッサ５５に割り当てられているチャンネルの放送信号のみを抽出し、そのＩＦ信号を出力するようになっている。
【００２５】
そして、第２周波数選択装置４から出力されたＩＦ信号は、同期検波器６（アナログ用の検出器）に入力される。同期検波器６は、入力されたＩＦ信号における同期信号の有無を検波し、その判定結果を制御部７へ出力する。通常のアナログＴＶ放送波には同期信号が含まれているため、同期検波器６によって同期信号が検出された場合には、制御部７は、当該ＴＶ放送信号はアナログ波であると判定し、反対に、同期信号が検出されなかった場合には、制御部７は、そのＴＶ放送信号はデジタル波であると判定する。
【００２６】
このように、図１のＴＶチャンネル警報装置１は、ＴＶ放送信号がアナログ波であるか、デジタル波であるかを判別することができる。そして、アナログ波とデジタル波とでは、ＲＦ検波器５から出力される電圧レベルが異なるため、アナログ波用の判定基準として設定した「電圧レベルの差の基準値」をそのまま「デジタル波が入力された場合」にも用いる、ということはできない（この場合、正確に判定することができない）が、図１のＴＶチャンネル警報装置１は、放送信号の種類（アナログ／デジタルの別）を判別できるため、アナログ波用の「基準値」とデジタル波用の「基準値」とを、予め制御部７において個別に設定しておき、入力される放送信号の種類に応じて、適切な「基準値」が自動的に適用されるように構成することが可能となり、いずれの場合にも正確に、「正常」か「異常」かの判定を行うことができる。
【００２７】
尚、ここでは、本発明に係る「警報装置」の実施形態の一つとして、シグナルプロセッサを監視対象とする「ＣＡＴＶ用ＴＶチャンネル警報装置」について説明したが、監視対象とする装置は必ずしもシグナルプロセッサには限定されず、モジュレータ（変調器）、各種切換器、増幅器等を監視対象とする警報装置として使用することもできる。
【００２８】
また、図１に示したＲＦ切換器２のモードを切り換えることにより、出力側の信号のみをＲＦ検波器５等に伝送して検波、判定できるように構成することもでき、この場合、信号の入力系統と出力系統のいずれをも有する装置だけでなく、出力系統のみを有する装置にも適用することができる。
【図面の簡単な説明】
【００２９】
【図１】本発明の第１の実施形態に係る警報装置１の構成図。
【図２】一般的なヘッドエンド設備５１の構成図。
【符号の説明】
【００３０】
１：ＴＶチャンネル警報装置、
２：ＲＦ切換器、
３：第１周波数選択装置、
４：第２周波数選択装置、
５：ＲＦ検波器、
６：同期検波器、
７：制御部、
８：ブザー、
９：表示部、
１０：設定部、
５１：ヘッドエンド設備、
５２：ＶＨＦ受信アンテナ、
５３：ＵＨＦ受信アンテナ、
５４ａ：分配器、
５４ｂ：分配器、
５５，５５ａ〜５５ｈ：シグナルプロセッサ、
５６：合成器、
５７：幹線路
【図１】
2006197155.tif 000003
【図２】
2006197155.tif 000004